(57)【要約】  【課題】上向きの面上に寝かせた姿勢で使用される小物類を起立した姿勢で収容し得る小物類収納ケースを提供する。  【解決手段】対をなす壁体の内面間に収納空間を形成してなり、上向きの面上に寝かせた姿勢で使用される小物類を前記収納空間に起立させた姿勢で収容することができるようにした小物類収納ケースであり、前記両壁体が、前記収納空間を少なくとも前方及び上方に開放可能な開き状態をとることができるものであり、前記各壁体の下壁部が、起立させた姿勢で前記収納空間に収納された前記小物類の前縁側を支持し得る前側支持領域と、前記小物類の後縁側を支持する後側支持領域とを備えている。【選択図】図１
2018039195.tif 000002
【特許請求の範囲】
【請求項１】
対をなす壁体の内面間に収納空間を形成してなり、上向きの面上に寝かせた姿勢で使用される小物類を前記収納空間に起立させた姿勢で収容することができるようにした小物類収納ケースであって、
前記両壁体が、前記収納空間を少なくとも前方及び上方に開放可能な開き状態をとることができるものであり、
前記各壁体が、上向きの面上に自立可能な剛性を有する下壁部と、この下壁部の上縁に連続させて設けられた上壁部とを備え、前記上壁部を前記下壁部の上縁付近を境にして前記下壁部の外面側に折り返すことができるように構成されたものであり、
前記各壁体の下壁部が、起立させた姿勢で前記収納空間に収納された前記小物類の前縁側を支持し得る前側支持領域と、前記小物類の後縁側を支持する後側支持領域とを備えたものである小物類収納ケース。
【請求項２】
前記下壁部の上縁部が、前方に向かって漸次又は段階的に低くなるように構成されている請求項１記載の小物類収納ケース。
【請求項３】
前記前側支持領域の上縁部が、前記後側支持領域の上縁部よりも低い位置に配設されている請求項１又は２記載の小物類収納ケース。
【請求項４】
前記前側支持領域における前端部の高さ寸法が、前記壁体における高さ寸法の半分以上の寸法に設定されている請求項２又は３記載の小物類収納ケース。
【請求項５】
前記両壁体の後縁同士が背壁体を介して連結されているとともに、前記両壁体の前縁下部同士が可撓変形可能な落下防止用のマチを介して連結されており、両壁体がほぼ平行に接近する閉じ状態から前記開き状態までの間で開閉動作し得るように構成されている請求項１、２、３又は４記載の小物類収納ケース。
【請求項６】
前記開き状態における収納空間の奥行き寸法が、両壁体の前縁間に形成される開口の幅寸法の２〜３倍に設定されている請求項１、２、３、４又は５記載の小物類収納ケース。
【請求項７】
前記壁体が、下壁部の外面に上方に開放されたポケットを備えたものであり、前記下壁部の外面側に折り返した上壁部の一部を前記ポケットに挿入し得るように構成されている請求項１、２、３、４、５又は６記載の小物類収納ケース。
【発明の詳細な説明】
【技術分野】
【０００１】
本発明は、オフィス等で使用される小物類収納ケースに関する。
【背景技術】
【０００２】
オフィス等で使用される小物類には、例えばノート等のように、主として天板等の上向きの面上に寝かせた姿勢で使用されるものが種々存在する。この種の小物類は、不使用の状態では全体として概略板状をなしており、自立できないものが多い。
【０００３】
これらの小物類を収納し得る従来の小物類収納ケースは、それ自体では小物類を起立した姿勢で保持することができない。換言すれば、従来の小物類収納ケースは、常時、小物類を上向きの面上に寝かせた姿勢で当該収納ケース内に収納することしかできないものとなっていた（例えば、特許文献１を参照）。
【０００４】
このようなものであると、例えば、執務中において、天板上における比較的広範な領域を、上述した小物類を収納させた小物類収納ケースが占有してしまい、結果として、天板上における自由な領域を過度に減少させてしまうという不具合が生じ得る。
【先行技術文献】
【特許文献】
【０００５】
【特許文献１】特開２０１２−１２６０１８号公報
【発明の概要】
【発明が解決しようとする課題】
【０００６】
本発明は、以上のような事情に着目してなされたものであり、少なくとも、主として上向きの面上に寝かせた姿勢で使用される小物類を起立した姿勢で収容し得る小物類収納ケースを提供することにある。
【課題を解決するための手段】
【０００７】
すなわち、本発明は次の構成をなしている。
【０００８】
請求項１に記載の発明は、対をなす壁体の内面間に収納空間を形成してなり、上向きの面上に寝かせた姿勢で使用される小物類を前記収納空間に起立させた姿勢で収容することができるようにした小物類収納ケースであって、前記両壁体が、前記収納空間を少なくとも前方及び上方に開放可能な開き状態をとることができるものであり、前記各壁体が、上向きの面上に自立可能な剛性を有する下壁部と、この下壁部の上縁に連続させて設けられた上壁部とを備え、前記上壁部を前記下壁部の上縁付近を境にして前記下壁部の外面側に折り返すことができるように構成されたものであり、前記各壁体の下壁部が、起立させた姿勢で前記収納空間に収納された前記小物類の前縁側を支持し得る前側支持領域と、前記小物類の後縁側を支持する後側支持領域とを備えたものである小物類収納ケースである。
【０００９】
ここで、「上向きの面」とは、上側を向いた面という意味であり、具体的には、家具における天板の載置面、棚板の上面、床面、その他の構造物における物品を載置し得る面等が挙げられる。なお、上向き面とは、水平な面に限られるものではない。
【００１０】
また、「上向きの面上に寝かせた姿勢で使用される小物類」とは、主たる使用態様において上向きの面上に寝かせた姿勢で使用され得るものをいう。換言すれば、「上向きの面上に寝かせた姿勢で使用される小物類」は、その使用態様において、上向きの面上に寝かせた姿勢で使用されない場合があっても構わない。「上向きの面上に寝かせた姿勢で使用される小物類」とは、不使用状態において、独立して自立しにくいものであり、全体として略板状ないしシート状の形態をなしている。具体的な例を挙げれば、ノート、フォルダー、用紙、下敷き、雑誌等の書籍、大型の定規、ファイル、パソコン、タブレット端末等を挙げることができる。
【００１１】
請求項２に記載の発明は、前記下壁部の上縁部が、前方に向かって漸次又は段階的に低くなるように構成されている請求項１記載の小物類収納ケースである。
【００１２】
請求項３に記載の発明は、前記前側支持領域の上縁部が、前記後側支持領域の上縁部よりも低い位置に配設されている請求項１又は２記載の小物類収納ケースである。
【００１３】
請求項４に記載の発明は、前記前側支持領域における前端部の高さ寸法が、前記壁体における高さ寸法の半分以上の寸法に設定されている請求項２又は３記載の小物類収納ケースである。
【００１４】
請求項５に記載の発明は、前記両壁体の後縁同士が背壁体を介して連結されているとともに、前記両壁体の前縁下部同士が可撓変形可能な落下防止用のマチを介して連結されており、両壁体がほぼ平行に接近する閉じ状態から前記開き状態までの間で開閉動作し得るように構成されている請求項１、２、３又は４記載の小物類収納ケースである。
【００１５】
請求項６に記載の発明は、前記開き状態における収納空間の奥行き寸法が、両壁体の前縁間に形成される開口の幅寸法の２〜３倍に設定されている請求項１、２、３、４又は５記載の小物類収納ケースである。
【００１６】
請求項７に記載の発明は、前記壁体が、下壁部の外面に上方に開放されたポケットを備えたものであり、前記下壁部の外面側に折り返した上壁部の一部を前記ポケットに挿入し得るように構成されている請求項１、２、３、４、５又は６記載の小物類収納ケースである。
【発明の効果】
【００１７】
以上説明したように本発明によれば、少なくとも、上向きの面上に寝かせた姿勢で使用される小物類を起立した姿勢で収容し得る小物類収納ケースを提供することができる。
【図面の簡単な説明】
【００１８】
【図１】本発明の一実施形態を示す斜視図。
【図２】同実施形態における斜視図。
【図３】同実施形態における斜視図。
【図４】図２におけるＸ−Ｘ線概略断面図。
【図５】開き状態を説明するための図４対応の概略断面図。
【図６】図５におけるＲ部分の部分拡大図。
【図７】図５におけるＱ部分の部分拡大図。
【発明を実施するための形態】
【００１９】
以下、本発明の一実施形態を、図１〜７を参照して説明する。
【００２０】
この実施形態は、本発明を、対をなす左右の壁体３１の内面間に収納空間ｓｐを形成してなり、上向きの面ｍ上に寝かせた姿勢で使用される小物類（以下、単に「小物類」という。）であるノートｎを収納空間ｓｐに起立させた姿勢で収容することができるようにした小物類収納ケースＡに適用したものである。
【００２１】
小物類収納ケースＡは、収納空間ｓｐにＡ４サイズの小物類を収納し得る上下方向、前後方向及び左右方向の寸法に設定されている。なお、図１の例では、小物類収納ケースＡの収納空間ｓｐに小物類であるＢ５サイズのノートｎを収納した態様を示しており、図３の例では、小物類収納ケースＡの収納空間ｓｐに小物類であるＡ４サイズのノートｎを収納した態様を示している。
【００２２】
小物類収納ケースＡは、内面間にノートｎを収容し得る大きさの収納空間ｓｐを形成し得るように対をなして配設された左右の壁体３１を有しこれら左右の壁体３１の縁部間、すなわち前縁部３１ａ間、及び、上縁部３１ｂ間に収納空間ｓｐを外部に開放するための開口部１ｓが形成されたケース本体１と、このケース本体１の開口部１ｓを、開き状態（Ｏ）又は閉じ状態（Ｃ）にするための線ファスナ２とを備えてなる。
【００２３】
ケース本体１は、対をなす左右の壁体３１を主体に構成された周壁３と、左右の壁体３１における下部の上下方向に延びる前縁同士を連結するべく左右の壁体３１間に介設された可撓変形可能な落下防止用のマチ４と、左右の壁体３１における下縁部間に配された可撓変形可能な底マチ５とを備えている。
【００２４】
周壁３は、対をなす左右の壁体３１、及び、これら左右の壁体３１の後縁同士を連結するべく両壁体３１間に介設された可撓変形可能な背壁体３２とを備えている。
【００２５】
周壁３は、左右の壁体３１における下部に板状の芯材３６を内在させることにより一定の剛性を備えた下領域３ａと、この下領域３ａの上縁に連続させて当該下領域３ａの上に設けられた柔軟性を有する上領域３ｂとを備えている。上領域３ｂは下領域３ａよりも柔軟性に優れている。図２では、説明の便宜のために、芯材３６を網掛けで表示している。
【００２６】
なお、下領域３ａは、左右の壁体３１における下壁部Ｊ及び当該下壁部Ｊの後縁部間を繋ぐ背壁体３２の下部部分を主体に構成されている。上領域３ｂは、左右の壁体３１における上壁部Ｋ、及び、当該上壁部Ｋの後端部間を繋ぐ背壁体３２の上部部分を主体に構成されている。そして、上領域３ｂは、主として左右の壁体３１における剛性の異なる下壁部Ｊと上壁部Ｋとの境界部分ｇで、下領域３ａの外面側に折り返すことができるようになっている。換言すれば、左右の壁体３１は、上下方向中間部分において、上領域３ｂを下領域３ａの外面側に折り返すことが可能な折り返し部たる境界部分ｇを備えている。
【００２７】
左右の壁体３１は、対をなすものであり、この実施形態では縦方向に長い略長方形の外形をなしている。左右の壁体３１は、当該左右の壁体３１がほぼ平行に接近する閉じ状態（Ｃ）から収納空間ｓｐを少なくとも前方及び上方に開放可能な開き状態（Ｏ）までの間で開閉動作し得るように構成されている。すなわち、左右の壁体３１は、線ファスナ２と協働して、収納空間ｓｐが前方及び上方に開放されない閉じ状態（Ｃ）と、収納空間ｓｐを前方及び上方に開放した開き状態（Ｃ）を採り得るものである。
【００２８】
小物類収納ケースＡは、開き状態（Ｏ）における収納空間ｓｐの奥行き寸法ｗが、両壁体３１の前縁間に形成される開口の幅寸法ｙの２〜３倍に設定されている。小物類収納ケースＡは、開き状態（Ｏ）において、一定の剛性を有した左の壁体３１と右の壁体３１との離間距離が前方に向かって漸次長くなる姿勢を採り、上向きの面ｍの上に自立し得るようになっている。換言すれば、小物類収納ケースＡは、開き状態（Ｏ）において、左の壁体３１と右の壁体３１とによって平面視においてＶ字状ないしハの字状の形態をなし、当該左右の壁体３１が背壁体３２によって連結されているため、上向きの面ｍに対して略直交する方向に起立した状態を採ることができるようになっている。
【００２９】
左右の壁体３１は、上向きの面ｍに自立可能な剛性を有する下壁部Ｊと、この下壁部Ｊの上縁に連続させて当該下壁部Ｊの上に設けられた上壁部Ｋとを備えている。上壁部Ｋは、下壁部Ｊよりも軟性を有している。上壁部Ｋは、下壁部Ｊの上縁付近である境界部分ｇを境にして下壁部Ｊの外面側に折り返すことにより、当該下壁部Ｊの外側に位置し得るように構成されている。
【００３０】
下壁部Ｊは、起立させた姿勢で収納空間ｓｐに収納されたノートｎの前縁側を支持し得る前側支持領域ｊ１と、ノートｎの後縁側を支持する後側支持領域ｊ２とを備えている。すなわち、下壁部Ｊは、起立した姿勢で収納されたノートｎの前縁側が部分的に当接することにより当該ノートｎが起立状態に支持される前側支持領域ｊ１と、起立した姿勢で収納されたノートｎの後縁側が部分的に当接することにより当該ノートｎが起立状態に支持される後側支持領域ｊ２とを備えている。
【００３１】
下壁部Ｊは、その外面に上方に開放されたポケットＰを備えている。この実施形態では、下壁部Ｊの外面側に折り返した上壁部Ｋの一部である前角部分ｋ１をポケットＰに挿入し得るように構成されている。ポケットＰは、周壁３の外面にポケット用シートｐｓを縫着することにより、対をなす左右の壁体３１の各外面に設けられたものである。
【００３２】
この実施形態では、下壁部Ｊにおける前端部の高さ寸法ｘ（すなわち前側支持領域ｊ１における前端部の高さ寸法ｘ）が、左右の壁体３１における高さ寸法ｚの半分以上すなわち二分の１以上の寸法に設定されている。
【００３３】
下壁部Ｊの上縁部ｊ３は、前方に向かって漸次低くなるように構成されている。換言すれば、前側支持領域ｊ１における上縁部ｊ３の対応部分は、後側支持領域ｊ２における上縁部ｊ３の対応部分よりも低い位置に設定されている。
【００３４】
下壁部Ｊは、外方に表出する合成繊維素材を主体とした布製の外装材３３と、小物類であるノートｎに直接的に接し得る合成繊維素材を主体とした布製の内装材３４と、これら外装材３３と内装材３４との間に配されるスポンジシート状の発泡部材３５と、外装材３３と発泡部材３５との間に配された合成樹脂（例えば、ポリプロピレン）製の板状をなす芯材３６とを備えている。そして、外装材３３、内装材３４、発泡部材３５、及び、芯材３６の周縁部が縫い合わされている。
【００３５】
上壁部Ｋは、外方に表出する合成繊維素材を主体とした布製の外装材３３と、小物類であるノートｎに直接的に接し得る合成繊維素材を主体とした布製の内装材３４と、これら外装材３３と内装材３４との間に配される図示しないスポンジシート状の発泡部材とを備えている。そして、外装材３４、内装材３４、発泡部材の周縁部が縫い合わされている。
【００３６】
なお、図１に示すように、左の壁体３１の内側面には内ポケットＵが設けられている。内ポケットＵは、内ポケット形成用のポケット用シートｕｓを左の壁体３１の内側面に縫着することにより設けられている。内ポケットＵは、例えば、消しゴムや付箋やスマートフォン等の比較的小さな物品を収納し得る大きさに設定されている。なお、図４、及び、図５では、内ポケットＵの図示を省略している。
【００３７】
背壁体３２は、可撓変形可能なものであり左右の壁体３１同士を繋ぐ役割をなしている。背壁体３２は、外方に表出する合成繊維素材を主体とした布製の外装材３３と、小物類であるノートｎに直接的に接し得る合成繊維素材を主体とした布製の内装材３４と、これら外装材３３と内装材３４との間に配されるスポンジシート状の発泡部材３５とを備えている。なお、背壁体３２における下部の外面には、ポケット用シートｐｓが被覆されている。開き状態（Ｏ）における背壁体３２の幅寸法は、開き状態（Ｏ）における落下防止用のマチ４の幅寸法よりも短く設定されている。
【００３８】
落下防止用のマチ４は、両壁体３１における前縁部の下側部分間に張り設けられたものである。落下防止用のマチ４は、壁体３１の下壁部Ｊ間に配された軟性のものである。落下防止用のマチ４の両側縁部には、補強テープｔが配されている。落下防止用のマチ４は、添設させた補強テープｔとともに外装材３３、内装材３４、発泡部材３５、及び、芯材３６に縫い合わされている。落下防止用のマチ４は、その下縁が底マチ５の前縁に連続している。すなわち、落下防止用のマチ４は、底マチ５と共通のシート素材により一体に構成されている。落下防止用のマチ４は、少なくとも収納空間ｓｐに小物類が収容されていない状態では閉じ状態（Ｃ）において後方に向かって凸をなすように屈曲した態様をなしているが、開き状態（Ｏ）においては略平板状に延びた態様をなしている。
【００３９】
底マチ５は、左右の壁体３１、背壁体３２、及び、落下防止用のマチ４と協働して小物類であるノートｎを収納し得る収納空間ｓｐを形成し得るものである。底マチ５は、その両側縁が左右の壁体３１の下縁部に接続している。底マチ５は、その後縁が背壁体３２の下縁部に接続している。底マチ５は、開き状態（Ｏ）において、略二等辺三角形状をなしている。底マチ５は、少なくとも収納空間ｓｐに小物類が収容されていない状態では閉じ状態（Ｃ）において上方に凸をなすように屈曲した態様をなしている。一方で、底マチ５は、開き状態（Ｏ）においては底マチ５自体の平板状に復帰しようとする弾性変形力により、又は、収納空間ｓｐに収容された小物類の荷重を受けることにより、略平板状に延びた態様をなしている。
【００４０】
線ファスナ２は、落下防止用のマチ４の外側に位置させて左右の壁体３１の縁部に設けられたものである。線ファスナ２は、左右の壁体３１の前縁部３１ａ、及び、上縁部３１ｂの略全域に亘って配されている。
【００４１】
線ファスナ２は、基端側が左右の壁体３１に直接縫合されているテープ２ａと、このテープ２ａの先端側に設けられ互いに接離し得る務歯２ｂと、スライド動作によりこれら務歯２ｂの接離を操作するためのスライダ２ｃとを備えている。
【００４２】
この実施形態では、テープ２ａ、及び、務歯２ｂの下端は、左右の壁体３１内に入り込ませた状態で縫合されており、スライダ２ｃにおける下側の動作端となっている。一方、テープ２ａ、及び、務歯２ｂの上端は、図示しない帯状のファスナエンドに縫合されており、スライダ２ｃにおける上側の動作端となっている。ファスナエンドには図示しないホック部材が設けられており、背壁体３２の内面側に設けた図示しないホック部材と連結し得るようになっている。テープ２ａの基端部は、外装材３３、及び、内装材３４の間に位置した状態で縫着されている。なお、線ファスナ２の構成は、既存のものを適宜適用し得るものであるため詳細な説明を省略する。
【００４３】
以上説明したように、本実施形態に係る小物類収納ケースＡは、対をなす左右の壁体３１の内面間に収納空間ｓｐを形成してなり、天板等の上向きの面ｍ上に寝かせた姿勢で使用される小物類であるノートｎを収納空間ｓｐに起立させた姿勢で収容することができるようにしたものである。そして、両壁体たる左右の壁体３１が、収納空間ｓｐを少なくとも前方及び上方に開放可能な開き状態をとることができるものとなっている。
【００４４】
左右の壁体３１が、上向きの面ｍ上に自立可能な剛性を有する下壁部Ｊと、この下壁部Ｊの上縁に連続させて設けられた上壁部Ｋとを備えている。そして、上壁部Ｋを下壁部Ｊの上縁付近を境にして下壁部Ｊの外面側に折り返すことができるように構成されている。左右の壁体３１の下壁部Ｊが、起立させた姿勢で収納空間ｓｐに収納されたノートｎの前縁側を支持し得る前側支持領域ｊ１と、ノートｎの後縁側を支持する後側支持領域ｊ２とを備えている。このため、主として上向きの面ｍ上に寝かせた姿勢で使用される小物類であるノートｎを起立した姿勢で収容し得る小物類収納ケースＡを提供することができるものとなる。つまり、左右の壁体３１の下壁部Ｊが、起立させた姿勢で収納空間ｓｐに収納されたノートｎの前縁側ｎ１を支持し得る前側支持領域ｊ１と、ノートｎの後縁側ｎ２を支持する後側支持領域ｊ２とを備えているものであるため、主として板状をなす小物類であるノートｎを起立した姿勢を保持させつつ収納空間ｓｐ内に収納し得るものとなっている。かかる小物類収納ケースＡであれば、例えば、天板等の上向きの面ｍ上に載置して使用する場合でも、当該上向きの面ｍ上の比較的広い領域を占有してしまうことがなく、執務において求められる天板上の自由な領域を好適に確保し得るものとなっている。
【００４５】
小物類収納ケースＡは、薄型シートを重ねて形成されたフォルダーを複数起立した姿勢で収納させることができる。この場合、フォルダーを平積みの態様で整理したものと比較して、検索性が優れたものとなるだけでなく、前述と同様に天板上の自由な領域を好適に確保し得るものとなっている。
【００４６】
下壁部Ｊの上縁部ｊ３が、前方に向かって漸次低くなるように構成されている。換言すれば、前側支持領域ｊ１における上縁部ｊ３が、後側支持領域ｊ２における上縁部ｊ３よりも低い位置に配設されている。このため、小物類であるノートｎを収納空間ｓｐ内に入れやすく、且つ、収納空間ｓｐ内に収容されたノートｎを外部に取り出しやすいものとなっている。収納空間ｓｐ内に複数のフォルダーを収容している場合には、当該フォルダーにおける上部前側の角部周辺が外部に露出し得るものとなるため、検索をする際にめくりやすいものとなっている。
【００４７】
前側支持領域ｊ１における前端部の高さ寸法ｘが、壁体３１における高さ寸法ｚの半分以上の寸法に設定されている。このため、起立状態で収納されたノートｎが倒れにくいものとなっている。収納空間ｓｐ内に比較的薄型シート状をなすフォルダーを収容している場合でも、当該フォルダーが上下方向中間部分で厚み方向によれて倒れるようなことが好適に抑制されたものとなる。このため、この小物類収納ケースＡであれば、薄型シート状をなすフォルダーを収納した場合でも、略平板シート状の姿勢を保持させ得るものとなっている。
【００４８】
左右の壁体３１の後縁同士が背壁体３２を介して連結されているとともに、左右の壁体３１の前縁下部同士が可撓変形可能な落下防止用のマチ４を介して連結されており、両壁体３１がほぼ平行に接近する閉じ状態（Ｃ）から開き状態（Ｏ）までの間で開閉動作し得るように構成されている。このため、左右の壁体３１、背壁体３２、及び、落下防止用のマチ４によって、収納空間ｓｐを好適に形成し得るとともに、小物類収納ケースＡが安定的に自立し得る構成を提供し得るものとなっている。
【００４９】
開き状態（Ｏ）における収納空間ｓｐの奥行き寸法ｗが、両壁体３１の前縁間に形成される開口の幅寸法ｙの２〜３倍に設定されている。このため、小物類収納ケースＡは、天板の載置面等の上向きの面ｍ上において、場所を過大に占有するのを抑制する当該上向きの面ｍに対して起立した姿勢を採り得るものとなっている。
【００５０】
左右の壁体３１が、下壁部Ｊの外面に上方に開放されたポケットＰを備えたものである。そして、下壁部Ｊの外面側に折り返した上壁部Ｋの一部をポケットＰに挿入し得るように構成されている。このため、ポケットＰは、内部に種々の物品を収容し得る基本的な機能だけでなく上壁部Ｋが下壁部Ｊの外面側に位置した状態を好適に保持し得る機能をも兼ねたものとなっている。
【００５１】
なお、本発明は、以上に詳述した実施形態に限られるものではない。
【００５２】
小物類収納ケースの大きさは適宜設定され得るものである。つまり、上述した実施形態のようなＡ４サイズの小物類が入らない大きさのものであってもよい。
【００５３】
上述した実施形態では、上向きの面上に寝かせた姿勢で使用される小物類としてノートを例示したが、ノート以外のものも該当し得るものである。その他の具体的な例を挙げれば、ノート、フォルダー、用紙、下敷き、雑誌等の書籍、大型の定規、ファイル、パソコン、タブレット端末等が挙げられる。
【００５４】
小物類収納ケースは、その収納空間に、小物類以外の物品も収容し得るものであることは言うまでもない。
【００５５】
左右の壁体を構成する下壁部の上縁部は、傾斜したものではなく略水平なものであってもよい。また、上述した実施形態では、上縁部は、前方に向かって漸次低くなるように構成されていたが、段階的に低くなるようにしてもよい。
【００５６】
その他、各部の具体的構成についても上記実施形態に限られるものではなく、本発明の趣旨を逸脱しない範囲で種々変形が可能である。
【符号の説明】
【００５７】
３１…壁体
Ａ…小物類収納ケース
Ｊ…下壁部
ｊ１…前側支持領域
ｊ２…後側支持領域
Ｋ…上壁部
ｍ…上向きの面
ｎ…ノート（小物類）
ｓｐ…収納空間
（Ｏ）…開き状態
（Ｃ）…閉じ状態
【図１】
2018039195.tif 000003
【図２】
2018039195.tif 000004
【図３】
2018039195.tif 000005
【図４】
2018039195.tif 000006
【図５】
2018039195.tif 000007
【図６】
2018039195.tif 000008
【図７】
2018039195.tif 000009